(57)【要約】【課題】  本発明は、収納部を備えたシューズであり、歩行、走行時に収納物が脱落することを防ぎ、収納物の機能を阻害することなく、履き心地にも優れるシューズを提供することを目的とする。【解決手段】  前甲被領域に収納部２を備えたシューズ１であって、前記収納部２は、ベース部２１、ベース部２１を覆う被覆部２２、及び蓋部２４を有し、前記ベース部２１と前記被覆部２２との間に収納領域を形成してなり、前記被覆部２２は、表布２２ａ、発泡層２２ｂ、裏布２２ｃの３層構造であり、前記被覆部２２には挿入口２３が設けられ、前記蓋部２４は、前記挿入口２３を覆うように設けられていることを特徴とする。【選択図】  図１
2018175491.tif 000002
【特許請求の範囲】
【請求項１】
前甲被領域に収納部を備えたシューズであって、  
前記収納部は、ベース部、ベース部を覆う被覆部、及び蓋部を有し、
前記ベース部と前記被覆部との間に収納領域を形成してなり、
前記被覆部は、表布、発泡層、裏布の３層構造であり、
前記被覆部には挿入口が設けられ、
前記蓋部は、前記挿入口を覆うように設けられていることを特徴とするシューズ。
【請求項２】
前記収納部が、甲被、或いは緊締バンドの表面に配置されていることを特徴とする請求項１記載のシューズ。
【請求項３】
前記ベース部材が、甲被、或いは緊締バンドの一部を構成することを特徴とする請求項１記載のシューズ。
【請求項４】
前記被覆部の発泡層が、密度０．１〜０．３ｋｇ／ｍ３、硬度５〜３０°であることを特徴とする請求項１〜３のいずれか一項に記載のシューズ。
【請求項５】
前記被覆部の裏布が、伸縮性素材からなることを特徴とする請求項１〜４のいずれか一項に記載のシューズ。
【請求項６】
前記挿入口の縁部が、伸縮性素材からなることを特徴とする請求項１〜５のいずれか一項に記載のシューズ。
【請求項７】
前記蓋部が、合成樹脂層を含むことを特徴とする請求項１〜６のいずれか一項に記載のシューズ。
【発明の詳細な説明】
【技術分野】
【０００１】
本発明は、収納部を備えたシューズに関する。
【背景技術】
【０００２】
電子機器を取り付けた所謂ウェアラブルシューズが開発されている。電子機器として、例えば、ＧＰＳやＢｌｕｅｔｏｏｔｈ（商標登録）、ＩＣタグ、ビーコンなどの無線通信機器、振動センサー、加速度センサー、圧力センサーなどの各種センサー、また当該無線通信機器やセンサーの電源、制御装置などが挙げられる。これらの電子機器を用いて、使用者の現在位置を調べたり、歩行・走行した歩数や距離、消費カロリーなどを測定し、そのデータを外部端末へ送信するなど、電子機器とシューズとの組み合わせにより、さまざまな活用方法が検討されている。
【０００３】
活用方法のひとつとして、徘徊癖のある高齢者や認知症の患者、迷子になりやすい子ども、登山遭難者などを対象とし、当該対象者の位置を探索するシステムが知られている。外出する際には必ずシューズを履くため、対象者のシューズにビーコンなどの無線発信機を取り付けておけば、勝手に外出したり、迷子になったりした場合でも、その無線発信機を頼りに、受信機を持った第三者が対象者を探索することができる。
【０００４】
これら電子機器をシューズに搭載する方法として、例えば、特許文献１にはアウトソールに凹部を形成し、そこへＧＰＳを収納する方法が開示されている。
【０００５】
しかしながら、アウトソールに形成された凹部へ電子機器を収納する方法の場合、アウトソールには歩行時、或いは走行時の衝撃が加わるため、電子機器への衝撃を緩和するか、或いは電子機器を頑丈にする必要があるが、すべての要因に対応することは容易に解決できるものではない。また、アウトソールに収納するとなると、電子機器と地面との距離が近すぎるため、電子機器が通信機器であった際には、電波の乱反射が発生し受信状況が悪くなるという問題があった。
【０００６】
電子機器をシューズに搭載する他の方法としては、例えば特許文献２のように、アッパーにＧＰＳを設ける方法が知られている。
【０００７】
ただし、単にアッパーに電子機器を設けるだけでは、歩行時、或いは走行時に脱落する危険があり、外部からの衝撃や歩行、走行時の振動により電子機器が損傷する虞もあった。また、硬い物品が足に当たり履き心地を損ねることもあり、使用上において問題のあるものであった。
【先行技術文献】
【特許文献】
【０００８】
【特許文献１】特開２００１−３２１２０２号公報
【特許文献２】特開２０００−０２８６９８号公報
【発明の概要】
【発明が解決しようとする課題】
【０００９】
そこで、本発明は、収納部を備えたシューズであり、歩行、走行時に収納物が脱落することを防ぎ、収納物の機能を阻害することなく、履き心地にも優れるシューズを提供することを目的とする。
【課題を解決するための手段】
【００１０】
上記課題を解決すべく、本発明は、前甲被領域に収納部を備えたシューズであって、前記収納部は、ベース部、ベース部を覆う被覆部、及び蓋部を有し、前記ベース部と前記被覆部との間に収納領域を形成してなり、前記被覆部は、表布、発泡層、裏布の３層構造であり、前記被覆部には挿入口が設けられ、前記蓋部は、前記挿入口を覆うように設けられていることを特徴とする。
【００１１】
このように、本発明は収納部を有し、当該収納部の最表面に位置する被覆部が表布、発泡層、裏布の３層構造であり、かつ挿入口が被覆部に設けられ、さらに挿入口を覆うように蓋部が設けられているため、歩行、走行時に収納物が脱落することを防ぐことができる。また、当該被覆部が発泡層を含む３層構造であることによって、収納領域での収納物の動きを抑制し、外部からの衝撃や歩行、走行時の振動によって収納物が損傷することを防ぐことができる。さらに、ベース部によって収納物による足当たりを軽減することで、収納物を備えていることを感じさせることなく、快適な履き心地を与えることができる。しかも、収納部を前甲被領域に設けることで、収納物が通信機器であっても、電波の乱反射を低減でき、収納物の機能を阻害することなく収納することができる。
【００１２】
本発明の収納部は、甲被、或いは緊締バンドの表面に配置されていてもよいし、甲被、或いは緊締バンドの一部を構成する態様でもよい。
【００１３】
本発明において、被覆部の発泡層が、密度０．１〜０．３ｋｇ／ｍ３、硬度５〜３０°であることが好ましい。被覆部によって、収納物が損傷することを防ぐことができるが、当該発泡層であれば、クッション性だけでなく強度もあり、その効果はさらに優れるものとなる。
【００１４】
また、被覆部の裏布が、伸縮性素材からなってもよく、さらに挿入口の縁部が、伸縮性素材からなることが好ましい。当該被覆部の裏布や挿入口の縁部に伸縮性素材を用いることで、収納物の出し入れが容易となり、また挿入口の引き締めにもなるため、収納物が飛び出すことを抑制でき好ましい。また、収納物の収納領域での動きを抑制することができるので、収納物の損傷を防ぎつつ、収納物の動きを気にすることなく歩行、走行することができる。さらに収納物を収納した場合でも被覆部表面にシワが寄りにくく外観にも優れるものとなる。
【００１５】
蓋部が、合成樹脂層を含むことを特徴とする。このように合成樹脂層を積層することで、当該蓋部がしっかり閉じた状態で使用できるため、収納物が飛び出すことを抑制できるとともに、収納領域への雨、砂埃の侵入を防ぐことができる。
【発明の効果】
【００１６】
本発明のシューズは、収納部を備えており、歩行、走行時に収納物が脱落することがなく、外部からの衝撃や歩行、走行時の振動によって収納物が損傷することを防ぎ、さらに、ベース部によって収納物による足当たりを軽減することで、収納物を備えていることを感じさせることなく、快適な履き心地を与えることができる。
【図面の簡単な説明】
【００１７】
【図１】本発明の第１実施態様の側面を示す図である。
【図２】本発明の第１実施態様における収納部を説明する図；                      （ａ）蓋部が閉じた状態  （ｂ）蓋部が開いた状態  （ｃ）裏側
【図３】本発明の第２実施態様の側面を示す図である。
【図４】本発明の第２実施態様における収納部を説明する図；                      （ａ）蓋部が閉じた状態  （ｂ）蓋部が開いた状態  （ｃ）裏側
【図５】本発明の第２実施態様における収納部の断面を示す図である。
【発明を実施するための形態】
【００１８】
実施態様に基づき、本発明を説明する。
【００１９】
〔第１実施態様〕
図１に示す通り、本発明のシューズ１は、前甲被領域に収納部２を備えており、当該収納部２は甲被の表面に固定されている。
【００２０】
本発明の収納部２は、図２に示す通り、ベース部２１、ベース部２１を覆う被覆部２２、及び蓋部２４を有し、ベース部２１と被覆部２２との間に収納領域が形成されている。被覆部２２には、収納物４を挿入するための挿入口２３が設けられており、その挿入口２３を覆うように蓋部２４が設けられている。
【００２１】
本発明のベース部２１は、通常甲被に用いられる素材が使用できる。ベース部２１によって収納物４による足当たりを軽減することができ、履き心地が良くなる。また、後述する被覆部２２と同様、表布２１ａ、発泡層２１ｂ、裏布２１ｃの３層構造であってもよく、特に履き心地を向上させるためには、発泡層２１ｂを含むことが好ましい。
【００２２】
本発明の被覆部２２は、表布２２ａ、発泡層２２ｂ、裏布２２ｃの３層構造である。当該被覆部２２が発泡層２２ｂを含む３層構造であることによって、外部からの衝撃や歩行、走行時の振動によって収納物が損傷することを防ぐことができる。
【００２３】
表布２２ａとしては、通常甲被に用いられる素材が使用でき、特に限定されない。
【００２４】
発泡層２２ｂとしては、例えば、ポリウレタンフォーム、発泡ラバー、ＥＶＡフォームなどの合成樹脂発泡体を使用できる。
また、発泡層２２ｂは密度がＪＩＳ  Ｋ  ６２６８に準拠して測定した値で、０．１〜０．３ｋｇ／ｃｍ３、硬度がＪＩＳ  Ｋ  ６２５３（タイプＣ）に準拠して測定した値で、５〜３０°のものであれば、収納物の損傷を防ぐことができ好ましい。発泡層２２ｂが当該密度や硬度の下限値を満たさない場合、柔らかすぎるために外部からの衝撃を防ぐことができず、収納物の破損を引き起こす可能性があり、また発泡層２２ｂが当該密度や硬度の上限値を超えた場合は、硬すぎて足に違和感を与え、履き心地を悪くするものとなる。
【００２５】
被覆部２２の裏布２２ｃとしては、通常甲被に用いられる素材が使用できるが、伸縮性素材を用いることが好ましい。伸縮性素材を用いれば、収納物４の出し入れが容易となるばかりか、収納物４が飛び出すことや収納領域での収納物４の動きをしっかりと抑制することができるので、収納物４の損傷を防ぎつつ、収納物４を備えていることを感じさせることなく、快適な履き心地を与えることができる。さらに、収納物４を収納した場合でも被覆部２２表面にシワが寄りにくく外観にも優れる。
【００２６】
伸縮性素材としては、伸び率がＪＩＳ  Ｋ  ６２５１に準拠して測定した値で、１２０％〜１８０％の織布、編布、不織布、メッシュ生地などの布帛を使用することができる。
【００２７】
被覆部２２には、挿入口２３が設けられており、収納物４が出し入れできる程度の大きさがあればよい。また、縁部２２ｄに伸縮性素材を用いることで、より収納物４の出し入れがしやすくなり、また挿入口２３の引き締めにもなるため、収納物４が飛び出すことを抑制でき好ましい。
【００２８】
被覆部２２の蓋部２４としては、通常甲被に用いられる素材が使用できる。特に、合成樹脂層２４ｂを含むことが好ましく、例えば蓋部２４裏面側に合成皮革、プラスチックシートなどを積層させたものが好ましい。このように合成樹脂層２４ｂを積層することで、当該蓋部２４がしっかり閉じた状態で使用できるため、収納物４が飛び出すことを抑制できるとともに、収納領域への雨、砂埃の侵入を防ぐことができる。
【００２９】
本発明の収納部４は、前甲被領域に設けられている。本発明における前甲被領域とは、踝部から爪先部までの領域であり、踵を覆う領域は含まない。図１では、前甲被領域の前面部に設けられているが、これに限定されるものではなく、歩行や走行時に邪魔にならず、また左右の足同士が接触しない部分に設ければよい。例えば、図示しないが、前甲被の外側面（小指側）であってもよい。
【００３０】
〔第２実施態様〕
図３に示す通り、本発明のシューズ１は、収納部２が緊締バンド３に設けられており、ベース部２１は、緊締バンド３の一部を構成している以外は、第１実施態様と同様である。
【００３１】
緊締バンド３は、図３、図４に示す通り、略三角形状のバンドであり、両端部の裏面に面ファスナー２１ｄを設け、甲被と脱着自在に取り付けられている。そのため、履き口が大きく開口しており、脱ぎ履きが容易なシューズとなる。なお、図示しないが、緊締バンド３として横長状のものでもよく、形状は特に限定されない。
【００３２】
本発明において、ベース部２１が甲被或いは緊締バンド３の一部を構成しているとは、図５で示すように、ベース部２１が直接足の前甲と接する状態にあることを示す。この場合、ベース部２１に発泡層２１ｂを設けることにより、収納物４における足当たりが軽減され、履き心地がより優れるため好ましい。
【００３３】
本発明の収納部２は、緊締バンド３の締め付け時や歩行、走行時に邪魔にならず、また左右の足同士が接触しない部分に設ければよい。
【００３４】
第２実施態様として、ベース部２１及び被覆部２２を表布２１ａ、２２ａ、発泡層２１ｂ、２２ｂ、裏布２１ｃ、２２ｃの３層構造とし、被覆部２２の発泡層２２ｂには、密度が０．１〜０．３ｋｇ／ｃｍ３、硬度が５〜３０°の発泡ラバー、また被覆部２２の裏布２２ｃには、伸び率１２０％〜１８０％の織布を使用し、蓋部２４の裏面に合成皮革２４ｂを積層してなるシューズ１について、収納部２には発信機４を収納し、１００名の試験者による２ヶ月間の試履を行った。結果として、当該シューズは、歩行、走行時における発信機の脱落はなく、履き心地に優れるものであり、電波の受信も問題なく行うことができた。
【００３５】
本発明において、収納物４としては特に限定されない。例えば、ＧＰＳやＢｌｕｅｔｏｏｔｈ（商標登録）、ＩＣタグ、ビーコンなどの無線通信機器、振動センサー、加速度センサー、圧力センサーなどの各種センサー、また当該無線通信機器やセンサーの電源、制御装置といった電子機器、氏名や連絡先などの個人情報を記したカードなどが挙げられる。
【符号の説明】
【００３６】
１  シューズ  
２  収納部  
２１  ベース部  
２１ａ  表布  ２１ｂ  発泡層  ２１ｃ  裏布  ２１ｄ  面ファスナー
２２  被覆部  
２２ａ  表布  ２２ｂ  発泡層  ２２ｃ  裏布  ２２ｄ  縁部
２３  挿入口  
２４  蓋部  
２４ａ  表布  ２４ｂ  合成樹脂層
３  緊締バンド
４  収納物
【図１】
2018175491.tif 000003
【図２】
2018175491.tif 000004
【図３】
2018175491.tif 000005
【図４】
2018175491.tif 000006
【図５】
2018175491.tif 000007